(57)【特許請求の範囲】
【請求項１】
パネル本体の裏面に貼設された鋼板のうち、このパネル本体から突出したノリ代部を、この鋼板の裏面に設けられたランナに折り返して外壁パネルを形成する外壁パネルの形成工程において、鋼板のノリ代部を折り返す前工程で、外壁パネルをコンベア上の所定の作業位置に押し動かすようになされた位置決め装置であって、
水平方向に伸縮するロッドの先端に基板が設けられたシリンダ装置と、この基板に設けられ、基板から垂直方向にロッドが伸縮するようになされたレベル調整装置と、このロッドの先端に設けられ、外壁パネルを押圧するプッシャとを具備して外壁パネルを搬送するコンベアの側部に設けられ、
レベル調整装置は、コンベア上の外壁パネルの厚みに応じてノリ代部に塗布された接着剤に付着することなくランナの位置にプッシャのレベル位置を調整するようになされたことを特徴とする位置決め装置。
【請求項２】
外壁パネルに当接されるプッシャの当接部が、コンベアの搬送方向に沿って平行する平滑面となされ、外壁パネルに対して一点当接するようになされた請求項１記載の位置決め装置。
【発明の詳細な説明】
【０００１】
【発明の属する技術分野】
本発明は、外壁パネルの形成工程において、コンベア上の所定位置に外壁パネルを位置決めする位置決め装置に関するものである。
【０００２】
【従来の技術】
一般に、外壁パネルは、パネル本体の裏面に貼設された鋼板のうち、このパネル本体から突出したノリ代部を、この鋼板の裏面に設けられたランナに折り返して形成される。この外壁パネルの形成工程において、鋼板のノリ代部を折り返す前工程では、コンベアの側部から、位置決め装置によって外壁パネルを押し動かして、外壁パネルをコンベア上の所定の作業位置に位置決めすることが行われている。
【０００３】
従来より、図４に示すように、この位置決め装置ａは、水平方向に伸縮するシリンダ装置ｂの先端部にプッシャｃが設けられ、このプッシャｃがランナｄに当たり、そのまま延伸することで、コンベアｅ上の外壁パネルｆを押し動かすように構成されていた。
【０００４】
図５に示すように、このプッシャｃは、切欠部ｇが設けられて両側に突起部ｈを有する二股形状となされ、この突起部ｈの二点でランナｄに当接するようになされていた。すなわち、コンベアｅを流れる外壁パネルｆに対して、異なった突起部ｈの二点で当接することで、外壁パネルｅをより安定した状態に位置決めすることができるようになされていた。この位置決め装置ａは、コンベアｅを流れる外壁パネルｆの位置を光電管ｉで読み取ってプッシャｃを作動させるようになされていた。
【０００５】
【発明が解決しようとする課題】
しかし、図４に示すように、上記従来の位置決め装置ａの場合、プッシャｃがシリンダ装置ｂの先端部の所定位置に固定されていたので、厚みの異なる外壁パネルｆを押し動かす場合、プッシャｃが、鋼板ｊの表面に塗布された接着剤ｋに接触し易くなるといった不都合を生じることとなる。
【０００６】
また、図５に示すように、コンベアｅを流れる外壁パネルｆが斜めになっているような場合、光電管ｉによって検知されるタイミングが正確でなくなってしまうので、外壁パネルｆの角が、プッシャｃの突起部ｈ間の切欠部ｇに引っかかってしまい外壁パネルｆの角が割れてしまったり、コンベアｅを停止しなければならないといった不都合を生じることとなる。
【０００７】
本発明は、係る実情に鑑みてなされたものであって、プッシャへの接着剤の付着を防止して外壁パネルを安定して確実に位置決めすることができる位置決め装置を提供することを目的としている。
【０００８】
【課題を解決するための手段】
上記課題を解決するための本発明の位置決め装置は、パネル本体の裏面に貼設された鋼板のうち、このパネル本体から突出したノリ代部を、この鋼板の裏面に設けられたランナに折り返して外壁パネルを形成する外壁パネルの形成工程において、鋼板のノリ代部を折り返す前工程で、外壁パネルをコンベア上の所定の作業位置に押し動かすようになされた位置決め装置であって、水平方向に伸縮するロッドの先端に基板が設けられたシリンダ装置と、この基板に設けられ、基板から垂直方向にロッドが伸縮するようになされたレベル調整装置と、このロッドの先端に設けられ、外壁パネルを押圧するプッシャとを具備して外壁パネルを搬送するコンベアの側部に設けられ、レベル調整装置は、コンベア上の外壁パネルの厚みに応じてノリ代部に塗布された接着剤に付着することなくランナの位置にプッシャのレベル位置を調整するようになされたものである。
【０００９】
また、外壁パネルに当接されるプッシャの当接部が、コンベアの搬送方向に沿って平行する平滑面となされ、外壁パネルに対して一点当接するようになされたものである。
【００１０】
【発明の実施の形態】
以下、本発明の実施の形態を図面を参照して説明する。
【００１１】
図１は位置決め装置１の全体構成の概略を示し、図２は同位置決め装置１の使用状態を示している。
【００１２】
すなわち、この位置決め装置１は、シリンダ装置２とプッシャ３との間にレベル調整装置４が設けられ、外壁パネル５をコンベア６上の一側部６１の作業位置Ｐに位置決めするようになされている。
【００１３】
シリンダ装置２は、シリンダ本体２１から水平方向にロッド２２が伸縮するようになされており、このロッド２２の先端に基板２３が設けられている。基板２３には、ロッド２２の動きをサポートするようにガイド２４に支持されたガイド棒２５が設けられている。
【００１４】
プッシャ３は、長方形の板状に形成されており、一方の長辺部３１の両側は角取り加工されている。このようにして切欠や段差も無く平滑となされた長辺部３１を、外壁パネル５に当接するようになされている。
【００１５】
レベル調整装置４は、基板２３に設けられ、基板２３から垂直方向にロッド４１が伸縮するようになされている。そして、このロッド４１の先端にプッシャ３が固定される。このレベル調整装置４は、ロッド４１が伸縮することで、プッシャ３の高さ位置が多段階に調整できるようになされている。
【００１６】
外壁パネル５は、図３に示すように、パネル本体５１の裏面に貼設された鋼板５２のうち、このパネル本体５１から突出したノリ代部５２ａを、この鋼板５２の裏面に設けられたランナ５３に折り返して形成される。
【００１７】
位置決め装置１は、図２に示すように、上記外壁パネル５の鋼板５２のノリ代部５２ａを折り返す折り返し装置７の前工程で、外壁パネル５が搬送されてくるコンベア６の一側部６１の外側の位置に設けられる。プッシャ３は、長辺部３１がコンベア６の流れ方向と平行するようになされ、シリンダ装置２によって、コンベア６の流れ方向に対して直交する方向に伸縮するように配置される。位置決め装置１は、コンベア６を流れる外壁パネル５の位置が、光電管８で読み取られることによって作動し、ロッド２２の延伸により、プッシャ３が、外壁パネル５をコンベア６上の一側部６１の作業位置Ｐまで押し動かす。
【００１８】
この際、位置決め装置１は、図３に示すように、パネル本体５１の厚みやランナ５３の大きさの違いに応じて、レベル調整装置４によってプッシャ３の高さ位置を多段階に調整することができる。したがって、ノリ代部５２ａ上に塗布された接着剤５４がプッシャ３に付着するといったことを防止することができる。
【００１９】
また、プッシャ３は、長方形の板状に形成されており、一方の長辺部３１の一点のみが外壁パネル５に当接されるので、外壁パネル５が斜めの状態のまま光電管８で読み取られ、プッシャ３の延伸するタイミングがずれてしまったような場合でも、プッシャ３が外壁パネル５に引っかかってしまうといったことにならない。ただし、プッシャ３の長辺部３１の一点のみで外壁パネル５を押し動かす場合、外壁パネル５を安定的に押し動かすためには、長辺部３１をある程度の長さにしておかなければならない。
【００２０】
なお、本実施の形態では、コンベア６の折り返し装置７の前工程の位置に一つの位置決め装置１を設けているが、この位置決め装置１としては、二つ以上設けられていても良い。
【００２１】
【発明の効果】
以上述べたように、本発明によると、外壁パネルの厚みに合わせてランナの位置にプッシャのレベル位置を調整することができ、プッシャが、鋼板のノリ代部の表面に塗布された接着剤に接触してしまうのを防止することができる。
【００２２】
また、外壁パネルに当接されるプッシャの当接部は、コンベアの搬送方向に沿って平行する平滑面とし、外壁パネルに対してこの平滑面が一点当接するようにしているので、プッシャが外壁パネルに引っかかるのを防止することができる。
【図面の簡単な説明】
【図１】（ａ）および（ｂ）は位置決め装置の全体構成の概略を示す側面図および平面図である。
【図２】位置決め装置を外壁パネルの搬送ラインに使用した状態を示す平面図である。
【図３】（ａ）ないし（ｃ）は、各種厚みの外壁パネルに合わせて位置決め装置の高さレベルを調整した状態を示す部分側面図である。
【図４】従来の各種厚みの外壁パネルと位置決め装置との関係を示す側面図である。
【図５】従来の位置決め装置の使用状態を示す部分平面図である。
【符号の説明】
１  位置決め装置
２  シリンダ装置
３  プッシャ
３１  長辺部（当接部）
４  レベル調整装置
５  外壁パネル
５１  パネル本体
５２  鋼板
５２ａ  ノリ代部
５３  ランナ
６  コンベア
Ｐ  作業位置
【図１】
0003628882.tif 000002
【図２】
0003628882.tif 000003
【図３】
0003628882.tif 000004
【図４】
0003628882.tif 000005
【図５】
0003628882.tif 000006